(57)【特許請求の範囲】
【請求項１】
便器上に設置された本体内部に人体の局部を洗浄する洗浄ノズルを有する衛生洗浄装置であって、
使用者が座る便座と、
使用者がトイレに入室したことを検知する人体検知手段と、
水道から洗浄水の供給を受ける給水配管と、
前記洗浄水に殺菌性金属イオンを溶出する金属イオン溶出手段と、
噴出手段を有し前記金属イオン溶出手段より溶出した殺菌性金属イオンを含む洗浄水を前記便器の使用前に便器内表面に噴出して前記便器内表面に水膜を形成する付着抑制手段とを備え、
前記人体検知手段により使用者がトイレに入室したことを検知すると、前記付着抑制手段の前記噴出手段から前記便器内表面へ洗浄水の噴出を開始し、前記付着抑制手段は、使用者が前記便座に着座するまでの時間より短い所定の時間Ｔ１の間、前記金属イオン溶出手段の電極には電圧を印加せずに付着抑制モードとして前記噴出手段より洗浄水を前記便器内表面へ噴出して停止する衛生洗浄装置。
【請求項２】
前記便座への着座の有無を検知する着座センサを備え、
所定の時間Ｔ１に達する前に使用者の着座を前記着座センサにより検知した場合には前記噴出手段からの洗浄水の噴出を終了する請求項１記載の衛生洗浄装置。
【請求項３】
水道から給水された洗浄水を前記洗浄ノズルと前記噴出手段とに流路を切換える切換弁を備え、前記金属イオン溶出手段は、前記切換弁の下流で前記噴出手段の上流に設けた請求項１または２記載の衛生洗浄装置。
【請求項４】
水道から給水された洗浄水を前記洗浄ノズルと前記噴出手段とに流路を切換える切換弁を備え、前記金属イオン溶出手段は、前記切換弁の上流に設けた請求項１または２記載の衛生洗浄装置。
【請求項５】
前記洗浄ノズルを洗浄するノズル洗浄手段と、洗浄水を前記ノズル洗浄手段と前記噴出手段とに流路を切換える切換弁とを備え、前記金属イオン溶出手段は、前記切換弁の上流に
設けた請求項１または２記載の衛生洗浄装置。
【請求項６】
前記着座センサが着座を検知しないとき、所定の時刻になると前記金属イオン溶出手段の有する電極に電圧を印加するようにした請求項２記載の衛生洗浄装置。
【請求項７】
前記金属イオン溶出手段は水を供給する流路に設けられ水を通水しない状態で通電する貯水式電解溶出の方式とし、所定の時刻となったとき、前記金属イオン溶出手段の電極に電圧を所定の時間Ｔ２印加した後、前記噴出手段より水を所定の時間Ｔ３噴出し停止する殺菌性金属イオン溶出モードとして、前記金属イオン溶出手段の電極に電圧を印加する時間Ｔ２を前記噴出手段から水を噴出する時間Ｔ３より長くした請求項１から６のいずれか１項に記載の衛生洗浄装置。
【発明の詳細な説明】
【技術分野】
【０００１】
本発明は、便器内に殺菌性金属イオンを供給し便器を衛生的に保つ衛生洗浄装置に関するものである。
【背景技術】
【０００２】
便器に付着する汚れとしては、排泄物の残存や、細菌に含まれる酵素により尿中の尿素が分解され生成する尿石スケール、細菌やカビなどの微生物の増殖による汚れなどがあり、これらが便器のリム裏、便器トラップの喫水線や便器トラップ内に着色汚れとして付着している。着色した汚れは不衛生であるとともに、微生物の作用により悪臭を発生させていた。便器を衛生的に保つために、悪臭を発生させるもととなる微生物を殺菌する便器洗浄装置として、殺菌性のある金属イオンとして銀イオンや銅イオンを電気的に溶出させ便器内に供給する電解槽を備えた便器洗浄装置が知られている（例えば、特許文献１参照）。図７は従来の便器洗浄装置の構成図である。
【０００３】
図７において、便器１００に排泄された排泄物は、フラッシュバルブ等からなる給水弁１０１の開閉により給水管１０２を介した洗浄水で水洗される。さらに殺菌性金属イオンのイオン源となる金属を含む少なくとも１対の電極１０３とフロートセンサー１０４とを有する貯水式電気分解槽１０５は流量制御弁１０６を介して、便器１００の便器トラップ１０７に接続されている。電極１０３は制御手段１０８により制御され、電極１０３間に電圧を印加することで、殺菌性のある金属イオンが電極から溶出し、便器トラップ１０７に殺菌性金属イオンを含む水が供給されるとともに、フロートセンサー１０４により貯水式電気分解槽１０５の水位を検知し、電磁弁１０９を開閉し、給水管１０２から貯水式電気分解槽１０５に水を供給する。殺菌性のある金属イオンとしては、亜鉛イオン、銅イオン、銀イオンなどが用いられているが殺菌効果の高い銀イオンを用いることが一般的に行われている。
【０００４】
便器トラップ１０７に殺菌性のある金属イオンを供給することで、持続的な殺菌効果を得ることができ、便器や便器トラップに発生する微生物の増殖を抑え、悪臭の発生を抑え便器を衛生的に保つことができる。
【０００５】
便器の衛生性を高めるために殺菌効果のある金属イオンを用いる方法は他にも用いられており、常に便器トラップ内に所定濃度の殺菌性金属イオンを供給する方法として、使用
の都度便器内に殺菌性金属イオンを供給するものや、便器洗浄水タンク内に殺菌性金属イオンを溶出する電極を設けるもの（特許文献２参照）がある。しかしながら、便器トラップ内に常に所定濃度の殺菌性金属イオンを供給する方法では、殺菌性金属イオンの使用量が増加し不経済であるという課題があった。これら課題を一部解決し、高価な殺菌性金属イオンを経済的に使用するために、殺菌性金属イオンを便器に供給するタイミングをコントロールするもの（特許文献３参照）などもある。
【特許文献１】特開平１１−１０６７９１号公報
【特許文献２】特開２０００−６４２８９号公報
【特許文献３】特開２０００−２０４５３２号公報
【発明の開示】
【発明が解決しようとする課題】
【０００６】
しかしながら、高価な殺菌性金属イオンを経済的に使用するために、殺菌性金属イオンを便器に供給するタイミングをコントロールする従来の方法では、使用者が便器を使用するタイミングをコントロールすることができないため、短時間で殺菌効果を得る必要があった。しかし短時間で殺菌効果をえるために、殺菌性金属イオンの濃度を高める方法では、殺菌性金属イオンの使用量が増加し不経済であるという課題があった。
【０００７】
また、殺菌性金属イオンは有機物と反応し消費されるため、便器内に排泄物の残存などがあった場合、排泄物中に含まれる有機物に銀イオンが消費され、微生物を殺菌するための殺菌性金属イオンが不足し、微生物の増殖を抑えることができないという課題もあった。さらに、排泄物中には１グラムに約１０１１個の微生物が含まれているため、便器に付着残存することで殺菌対象である便器内の微生物の増加がおこってしまう。このように殺菌対象となる微生物が増加することで、殺菌に必要とされる殺菌性金属イオンの量も増加してしまうという課題もあった。さらに排泄物の残存を見込んで殺菌性金属イオンを過剰に供給する方法では、殺菌性金属イオンの使用量が増加し不経済であるとともに、排泄物の残存が無かった場合には高濃度の殺菌性金属イオンは便器内の有機物や無機物と反応して着色してしまうという課題もあった。
【０００８】
本発明は上記従来の課題を解決し、便器内への排泄物の付着を抑制することで、殺菌性金属イオンを微生物に対して効果的に作用させ、悪臭の発生を抑えるとともに便器の衛生を保つことができる、経済的な衛生洗浄装置を提供することを目的とする。
【課題を解決するための手段】
【０００９】
本発明に係る衛生洗浄装置は、便器上に設置された本体内部に人体の局部を洗浄する洗浄ノズルを有する衛生洗浄装置であって、使用者が座る便座と、使用者がトイレに入室したことを検知する人体検知手段と、水道から洗浄水の供給を受ける給水配管と、前記洗浄水に殺菌性金属イオンを溶出する金属イオン溶出手段と、噴出手段を有し前記金属イオン溶出手段より溶出した殺菌性金属イオンを含む洗浄水を前記便器の使用前に便器内表面に噴出して前記便器内表面に水膜を形成する付着抑制手段とを備え、前記人体検知手段により使用者がトイレに入室したことを検知すると、前記付着抑制手段の前記噴出手段から前記便器内表面へ洗浄水の噴出を開始し、前記付着抑制手段は、使用者が前記便座に着座するまでの時間より短い所定の時間Ｔ１の間、前記金属イオン溶出手段の電極には電圧を印加せずに付着抑制モードとして前記噴出手段より洗浄水を前記便器内表面へ噴出して停止するものである。
【００１０】
これにより、付着抑制手段により排泄物の便器内への残存を抑制することで、殺菌性金属イオンを微生物に対して効果的に作用させることができ、悪臭の発生を抑えるとともに便器の衛生を保つことができる。そして、便器の使用前に噴出手段により便器内表面を濡らすことで、排泄物の直接的な便器との接触を防止し、排泄物の便器への付着を抑制することができる。特に、人体検知手段により使用者がトイレに入室したことを検知すると、付着抑制手段の噴出手段から便器内表面へ洗浄水の噴出を開始し、前記付着抑制手段は、使用者が前記便座に着座するまでの時間より短い所定の時間Ｔ１の間、前記金属イオン溶出手段の電極には電圧を印加せずに付着抑制モードとして前記噴出手段より洗浄水を前記便器内表面へ噴出して停止する構成により、使用者が着座する前に噴出手段の動作が終了して、便器内表面に洗浄水の水膜を形成し排泄物の付着を抑制することができ、殺菌性金属イオンの消費も抑制できる。さらに、便器内に殺菌性金属イオンを含んだ水膜を形成することができ、便器トラップのみでなく便器表面の微生物の増殖を抑制することができる。
【発明の効果】
【００１１】
本発明によれば、付着抑制手段により便器内への排泄物の残存を抑制することで、有機物による殺菌性金属イオンの消費を抑えるとともに、排泄物からの微生物の混入を抑制することで、殺菌性金属イオンを微生物に対して効果的に作用させることができ、悪臭の発生を抑えるとともに便器の衛生を保つ衛生洗浄装置を提供できる。
【発明を実施するための最良の形態】
【００１２】
第１の発明は、便器上に設置された本体内部に人体の局部を洗浄する洗浄ノズルを有する衛生洗浄装置であって、使用者が座る便座と、使用者がトイレに入室したことを検知する人体検知手段と、水道から洗浄水の供給を受ける給水配管と、前記洗浄水に殺菌性金属イオンを溶出する金属イオン溶出手段と、噴出手段を有し前記金属イオン溶出手段より溶出した殺菌性金属イオンを含む洗浄水を前記便器の使用前に便器内表面に噴出して前記便器内表面に水膜を形成する付着抑制手段とを備え、前記人体検知手段により使用者がトイレに入室したことを検知すると、前記付着抑制手段の前記噴出手段から前記便器内表面へ洗浄水の噴出を開始し、前記付着抑制手段は、使用者が前記便座に着座するまでの時間より短い所定の時間Ｔ１の間、前記金属イオン溶出手段の電極には電圧を印加せずに付着抑制モードとして前記噴出手段より洗浄水を前記便器内表面へ噴出して停止するものである。これにより、付着抑制手段により排泄物の便器内への残存を抑制することで、殺菌性金属イオンを微生物に対して効果的に作用させることができ、悪臭の発生を抑えるとともに便器の衛生を保つことができる。そして、便器の使用前に噴出手段により便器内表面を濡らすことで、排泄物の直接的な便器との接触を防止し、排泄物の便器への付着を抑制することができる。特に、人体検知手段により使用者がトイレに入室したことを検知すると、付着抑制手段の噴出手段から便器内面へ洗浄水の噴出を開始し、付着抑制手段は、使用者が便座に着座するまでの時間より短い所定の時間Ｔ１の間、前記金属イオン溶出手段の電極には電圧を印加せずに付着抑制モードとして前記噴出手段より洗浄水を前記便器内表面へ噴出して停止する構成により、使用者が着座する前に噴出手段の動作が終了して、便器内表面に洗浄水の水膜を形成し排泄物の付着を抑制することができ、殺菌性金属イオンの消費も抑制できる。さらに、便器内に殺菌性金属イオンを含んだ水膜を形成することができ、便器トラップのみでなく便器表面の微生物の増殖を抑制することができる。
【００１３】
第２の発明は、特に第１の発明において前記便座への着座の有無を検知する着座センサを備え、所定の時間Ｔ１に達する前に使用者の着座を前記着座センサにより検知した場合には前記噴出手段からの洗浄水の噴出を終了することにより、使用者が着座し噴出手段の動作が終了するまでの間で便器内表面に洗浄水の水膜を形成し排泄物の付着を抑制することができ、殺菌性金属イオンの消費も抑制できる。
【００１４】
第３の発明は、特に第１または第２の発明において水道から給水された洗浄水を前記洗浄ノズルと前記噴出手段とに流路を切換える切換弁を備え、前記金属イオン溶出手段は、前記切換弁の下流で前記噴出手段の上流に設けたことにより、便器内表面に殺菌性金属イオンを含んだ水膜を形成することで、便器トラップのみでなくリム下や便器表面の微生物の増殖を抑制することができる。
【００１５】
第４の発明は、特に第１または第２の発明において水道から給水された洗浄水を前記洗
浄ノズルと前記噴出手段とに流路を切換える切換弁を備え、前記金属イオン溶出手段は、前記切換弁の上流に設けたことにより、人体の局部を洗浄する洗浄水に殺菌性金属イオンを含んだ水を用いることで、局部の殺菌洗浄を行い局部の化膿防止や雑菌による感染症の予防にも利用することができる。
【００１６】
第５の発明は、特に第１または第２の発明において前記洗浄ノズルを洗浄するノズル洗浄手段と、洗浄水を前記ノズル洗浄手段と前記噴出手段とに流路を切換える切換弁とを備え、前記金属イオン溶出手段は、前記切換弁の上流に設けたことにより、汚れやすい洗浄ノズルを殺菌性金属イオンを含んだ水で洗浄することができ、ノズルの衛生を高めることができるとともに、殺菌性金属イオンを含んだ水が、ノズル洗浄水として便器内に供給されることで、便器トラップに長時間、殺菌性金属イオンを含んだ水を貯水することができ、便器内の微生物を殺菌することも可能となる。
【００１７】
第６の発明は、特に第２の発明において前記着座センサが着座を検知しないとき、所定の時刻になると前記金属イオン溶出手段の有する電極に電圧を印加するようにしたものである。これにより、殺菌性金属イオンを含んだ水が、便器内に供給されることで、便器トラップに長時間、殺菌性金属イオンを含んだ水を貯水することができ、便器内の微生物を殺菌することが可能となる。
【００１８】
第７の発明は、特に第１〜第６のいずれか１つの発明において前記金属イオン溶出手段は水を供給する流路に設けられ水を通水しない状態で通電する貯水式電解溶出の方式とし、所定の時刻となったとき、前記金属イオン溶出手段の電極に電圧を所定の時間Ｔ２印加した後、前記噴出手段より水を所定の時間Ｔ３噴出し停止する殺菌性金属イオン溶出モードとして、前記金属イオン溶出手段の電極に電圧を印加する前記時間Ｔ２を前記噴出手段から水を噴出する前記時間Ｔ３より長くしたことにより、電流値および電極間の印加電圧を小さくすることが出来るため、別途特別な電源回路を設けることなく、衛生洗浄装置本体の持つ電源回路を利用することができる。
【００１９】
以下、本実施の形態について、図面を参照しながら説明する。各実施の形態において、同じ形態および同じ動作を行う部分については同一符号を付与し、詳細な説明を省力する。なお、本実施の形態によって本発明が限定されるものではない。
【００２０】
（実施の形態１）
図１は本発明の実施の形態１における衛生洗浄装置の外観を示すもので、図１において、衛生洗浄装置１０は便器１１上部に設置され、衛生洗浄装置の本体１２、電動により自動開閉する便蓋１３、使用者が座るための便座１４等から構成されている。
【００２１】
また水道から洗浄水の供給を受けるための給水配管（図示せず）および壁面のコンセントから電源供給を受けるための電気ケーブル１５が備えてある。
【００２２】
衛生洗浄装置１０の内部には人体の局部を洗浄する洗浄ノズル１６や洗浄ノズル１６とは別に便器１１の内面に水を噴出する噴出手段１７が内蔵されている。さらには殺菌性金属イオンを溶出する金属イオン溶出手段、洗浄後の人体局部を乾燥するための乾燥機能、寒冷時にトイレ空間を暖房する部屋暖房機能、トイレルームに入室、退室したことを検知する人体検知手段１８等が備えてあり、各々の操作は壁面に取り付けたリモートコントローラ１９（以下、リモコンと略す）および本体１２により自動的に操作される。
【００２３】
また、便座１４には使用者の存在を検知する検知手段としての着座センサ２０を備えている。なお、この着座センサ２０は、赤外線を用いて使用者の便座１４への着座の有無を検知するものであるが、方式としては便座の静電容量を検知する方式や、さらには赤外線や超音波等を用いて使用者の便座への着座を検知する、もしくはトイレルームに入室、退室したことを検知する方式、さらには例えばトイレの照明に連動して使用者の存在を検知
する方式等でも検知手段としての応用が可能である。
【００２４】
また、便器１１の後方上部には、洗浄水タンク２１が装着されており、洋式便器１０内の排泄物を下水に排水する洗浄用水が貯えられている。
【００２５】
図２はリモコン１９の外観を示すものであり、おしり洗浄スイッチ２２、ビデ洗浄スイッチ２３、乾燥スイッチ２４、各機能のインジケータ２５、調節スイッチ２６、停止スイッチ２７および金属イオン溶出手段から殺菌性金属イオンを便器１１内部に手動供給する便器除菌スイッチ２８を有している。そして使用者の操作信号は赤外線等の無線信号によって衛生洗浄装置の本体部１２へ送信される構成となっている。
【００２６】
図３は実施の形態１における衛生洗浄装置の水回路を示す構成図である。図３において、給水源２９に接続された分岐水栓３０より衛生洗浄装置に水道水を供給する。水道水は、ストレーナ３１、逆止弁３２、定流量弁３３、元電磁弁３４、流量センサ３５を経て、加熱ユニット３６に供給され、流量センサ３５は加熱ユニット３６への流量を計測し、加熱ユニット３６は内部にヒータを備えて洗浄用の洗浄水を加熱する構成であり、洗浄時のみ加熱する瞬間湯沸かし型もしくは所定量のお湯を常時所定温に加熱して貯湯しておく貯湯型が適用できる。本第１の実施の形態では瞬間湯沸かし型の温水ユニットを採用しており、加熱ユニット３６は板状のセラミックヒータとその両面に設けた蛇行する内部流路から構成されており、熱交入口に供給された常温の洗浄水は、この蛇行する内部流路を流れながらセラミックヒータから熱を受け取り、加熱ユニット３６の出口までの間に適温に加熱される仕組みである。なお本実施の形態においては、ヒータは熱密度に優れた板状のセラミックヒータを用いたが、シーズヒータやマイカヒータ、さらには板材に抵抗体を設けたプリントヒータなど様々なヒータ応用が考えられることは言うまでもない。
【００２７】
加熱ユニット３６からの供給される温水は、水ポンプ３７で流量が調整され、おしりノズル３８、ビデノズル３９より成る洗浄ノズル１６や噴出手段１７より吐出される。
加熱ユニット３６の下流側には切換弁４０が接続されており、この切換弁４０は前述の加熱ユニット３６が接続される入口流路４１とおしりノズル３８と接続する第１出口流路４２、ビデノズル３９と接続する第２出口流路４３、殺菌性金属イオン溶出手段４４を介して噴出手段１７と接続する第３出口流路４５がモータ４６によって選択的に連通される構成となっている。
【００２８】
金属イオン溶出手段４４は、一対の銀電極４７を内部に有し、銀電極４７間に電圧を印加する電源（図示せず）および銀電極４７間に流れる電流量を制御する制御手段４８で制御される構成となっている。
【００２９】
噴出手段１７は、便器１１の内面全体に水を噴出するために噴出手段１７の内部にオリフィス部を設けたスプレーノズルとし、オリフィス部で加圧された水は開口部から噴出される際に膜状に広がり便器全面に水膜を形成する。なお本実施の形態では、便器全面を濡らし便器表面に水膜を形成するため、噴出手段にスプレーノズルを用いたが、便器全面に水膜を形成できるものであれは噴出手段の構成を限定するものではない。
【００３０】
以上のように構成された衛生洗浄装置について、その作用、動作の１例について説明する。
【００３１】
人体検知手段１８により使用者の入室が検知されず、さらに着座センサ２０で使用者の着座が検知されていない状態のとき、すなわち使用者の入室使用待ち状態の時、切替弁４０の入口流路４１と第３出口流路４５連通されるようにモータ４６を動かし、噴出手段１７に流路を切換えて、使用者の入室と同時に噴出手段１７により便器内部に水を噴出し、
使用者が排泄を行う前に付着抑制手段が動作・機能できるようにしてある。
【００３２】
人体検知手段１８により使用者がトイレに入室したことを検知すると、元電磁弁３４を開弁し、噴出手段１７による便器１１内面への水の噴出を開始すると同時に、便蓋１３を自動で開く。この時、金属イオン溶出手段４４の銀電極４７には電圧を印加せず、付着抑制モードとして噴出手段１７より水を所定の時間Ｔ１噴出し停止する。使用者がトイレルームに入室してから、脱衣し便座に着座するまでの時間は平均で約５〜６秒であるため、本実施の形態では噴出手段１７より水を噴出する時間Ｔ１を４秒に設定している。Ｔ１を４秒に設定しておくことで、使用者が着座する前に噴出手段１７の動作は終了しており、便器内に水膜を形成し排泄物の付着を抑制することができる。万が一、所定時間Ｔ１に達する前に使用者の着座を着座センサ２０により検知した場合には、元電磁弁３４を閉止し、切替弁４０の入口流路４１を第１出口流路４２もしくは第２出口流路４３に切換えて、噴出手段１７からの水の噴出を強制終了する。
【００３３】
衛生洗浄装置１０は、使用者が便座１４に着座し、着座センサ２０で着座を検知した状態でリモコン１９の各操作スイッチを操作することで局部洗浄、乾燥機能等が実行される。
【００３４】
使用者が便器のトラップ部に水没するように排泄物を排泄したときは便器への排泄物の付着はおこりにくいが、使用者が便座１４の前寄りに着座している場合や、体調や食事内容により排泄物の性状が変化し便器面に排泄物が付着しやすくなることが考えられる。一般の家庭で普段通りにトイレを使用した際の排泄物の便器への付着状態を調査したところ、用便後に排泄物が便器に付着していたのは、１０回の排便あたり平均で約２回であった。さらに水洗後も排泄物が残存していたのは１０回の排便あたり平均で約１回となっており、かなりの割合で便器に排泄物が付着残存していることがわかる。
【００３５】
便器に付着するのは脂肪酸などの油性成分であり、便器に接触し付着してしまうと水となじまないため水洗のみでは洗浄が困難になる。本実施の形態では付着抑制手段を設け、便器内表面に水膜を形成することで、水膜により排泄物の直接的な便器との接触が防がれ、排泄物の便器への付着を抑制することができる。排泄物が水膜状に付着した場合においても、便器表面と排泄物の間に水の膜が形成されているため、水洗により水の膜ごと排泄物を洗浄することができる。
【００３６】
さらに、付着抑制手段により、便器への排泄物の付着を抑制することで排泄物由来の微生物の混入を抑制できるとともに、殺菌性金属イオンを消費する有機物の混入を抑制することができる。
【００３７】
付着抑制手段を設けることで、微生物の混入そのものを抑制することができ、付着抑制手段を設けずに殺菌性金属イオンを供給する場合と比較して、低濃度の殺菌性金属イオン濃度で微生物を殺菌できるとともに殺菌に必要とされる時間を短縮することも可能となる。これにより、常に殺菌性金属イオンを供給しなくても、トイレ不使用時間帯に１日１回殺菌性金属イオンを供給することで便器の衛生維持が可能となる。
【００３８】
つぎに所定の時刻となったとき、金属イオン溶出手段４４の銀電極４７に電圧を所定の時間Ｔ２印加した後、元電磁弁３４を開き、殺菌性金属イオン溶出モードとして噴出手段１７より水を所定の時間Ｔ３噴出し停止する。銀電極４７に流れる電流は制御手段４８により、常に一定の電流が流れるように制御されており、殺菌性金属イオンの時間当たりの溶出量は電流値と比例するため、電圧を印加する時間Ｔ２により殺菌性金属イオンの溶出量を制御することができ、水質や水温に関係なく安定して殺菌性金属イオンを溶出することができる。殺菌性金属イオンを含んだ水が、噴出手段１７により便器内に供給されるこ
とで、便器トラップに長時間、殺菌性金属イオンを含んだ水を貯水することができ、便器内の微生物を殺菌することが可能となる。
【００３９】
本実施の形態では、元電磁弁３４を閉じ、金属イオン溶出手段４４に水を通水しない状態で通電する貯水式電解溶出の方式を用いているが、元電磁弁３４を開き、金属イオン溶出手段に通水した状態で銀電極４７間に電圧を印加し、噴出手段１７から殺菌性金属イオンを含んだ水を噴出する通水式電解溶出の方式を用いても同様の効果を得ることが出来る。本実施の形態の貯水式電解溶出方式を用いた場合は、時間Ｔ２をＴ３より長くすることが可能となり、電流値および銀電極４７間の印加電圧を小さくすることが出来るため、別途特別な電源回路を設けることなく、衛生洗浄装置本体の持つ電源回路を利用することができる。
【００４０】
また本実施の形態では一対の電極を銀電極４７で構成しているため、使用の都度、制御手段４８により銀電極４７間に印加する電圧の極性を反転させ、一対の電極が均等に消耗していくようにしてあるが、陽極を銀電極、陰極をステンレスなどの金属で構成しても陽極から殺菌性金属イオンを溶出させることができる。
【００４１】
金属イオン溶出手段４４は付着抑制手段に水を供給する流路に設けた構成としているため、付着抑制手段の噴出手段１７を用いて便器内に殺菌性金属イオンを含んだ水膜を形成することができ、便器トラップのみでなく便器表面の微生物の増殖を抑制することができる。
【００４２】
殺菌性金属イオンを便器に供給する時刻は、便器の使用頻度の低い夜間に決めておく方法や使用者が時刻をリモコン１９で任意に設定する方法などがある。
【００４３】
つぎに、殺菌性金属イオンとして銀イオンを用い、テストピースによる衛生維持効果を確認した結果を示す。
【００４４】
２．５ｃｍ×１０ｃｍ、便器釉に用いられているアルカリ石灰ガラス成分を含むテストピースを用い、テストピースを便器内で検出される黄色ブドウ球菌の調整菌液に１８時間浸漬させた後、（ａ）６時間銀イオン濃度を０ｐｐｍ、０．１ｐｐｍ、０．５ｐｐｍに調整した水道水への浸漬、（ｂ）６時間銀イオン濃度を０ｐｐｍ、０．１ｐｐｍ、０．５ｐｐｍに調整し、有機物を添加した水道水への浸漬を繰り返し、テストピースに付着する微生物を評価した。経過日数１日、３日、６日、１２日のテストピースに付着した菌数を図４に示す。
【００４５】
水道水に浸漬した（ａ）のテストピースは、銀イオン濃度０．１ｐｐｍからテストピースへの微生物の付着抑制効果が得られたのに対し、有機物を添加した水道水に浸漬した（ｂ）のテストピースは、銀イオン濃度０．１ｐｐｍでは微生物の抑制効果は確認できず、銀イオン濃度０．５ｐｐｍで付着抑制効果が得られた。
【００４６】
この結果より、付着抑制手段を設けることで、１日１回殺菌性金属イオンを供給する場合でも、殺菌性金属イオンの使用量を１／５に減少させることができることが確認された。このことは、金属イオン溶出手段の電極の重量を１／５に出来ることを示しており、高価な殺菌性金属の使用を１／５に抑え経済的に便器の衛生維持が可能となるとともに、金属イオン溶出手段を小型化することもでき、衛生洗浄装置本体内にコンパクトに収めることもできる。
【００４７】
（実施の形態２）
図５は実施の形態２における衛生洗浄装置の水回路を示す構成図、図６は実施の形態２
における洗浄ノズルおよび洗浄手段の断面図である。図５および図６において、給水源２９に接続された分岐水栓３０より衛生洗浄装置に水道水を供給する。水道水は、ストレーナ３１、逆止弁３２、定流量弁３３、元電磁弁３４、流路切換弁３５、流量センサ３６を経て、加熱ユニット３６に供給され、流量センサ３６は加熱ユニット３６への流量を計測し、加熱ユニット３６は内部にヒータを備えて洗浄用の洗浄水を加熱する構成であり、洗浄時のみ加熱する瞬間湯沸かし型もしくは所定量のお湯を常時所定温に加熱して貯湯しておく貯湯型が適用できる。
【００４８】
本実施の形態２では瞬間湯沸かし型の温水ユニットを採用しており、加熱ユニット３６は板状のセラミックヒータとその両面に設けた蛇行する内部流路から構成されており、熱交入口に供給された常温の洗浄水は、この蛇行する内部流路を流れながらセラミックヒータから熱を受け取り、加熱ユニット３６の出口までの間に適温に加熱される仕組みである。
【００４９】
加熱ユニット３６からの供給される温水は、水ポンプ３７で流量が調整され、おしりノズル３８、ビデノズル３９より成る洗浄ノズル１６、噴出手段１７、ノズル洗浄手段５５により吐出される。
【００５０】
加熱ユニット３６の下流側には切換弁４０が接続されており、この切換弁４０は前述の加熱ユニット３６が接続される入口流路４１とおしりノズル３８と接続する第１出口流路４２、ビデノズル３９と接続する第２出口流路４３、切替弁５６を介しておしりノズル３８およびビデノズル３９の表面を洗浄するノズル洗浄手段５５および噴出手段１７と接続する第３出口流路５１がモータ４６によって選択的に連通される構成となっており、金属イオン溶出手段５２は加熱ユニット３６の下流の入口流路４１に設けてある。
【００５１】
金属イオン溶出手段５２は、丸棒銀電極５３および、円筒状ステンレス電極５４を内部に有し、銀電極５３およびステンレス電極５４間に電圧を印加する電源および電極間に流れる電流量を制御する制御手段４８で制御される構成となっている。
【００５２】
おしりノズル３８およびビデノズル３９は、下部に開口部を有し樹脂材料で成型されたノズル収納部５６に収納され、おしりノズル３８およびビデノズル３９の上部はノズルカバー５７で覆われ、おしりノズル３８およびビデノズル３９とノズルカバー５７およびノズル収納部５６の間にノズル洗浄水の流路５８が形成されている。
【００５３】
ノズルカバー５７には、おしりノズル３８およびビデノズル３９を洗浄するノズル洗浄水を噴出する噴出開口５９が設けてあり、ノズルカバー５７内部には洗浄水の流路５８が設けられ、洗浄水流路５８の元部分には洗浄水を供給する洗浄水供給口６０が設置してあり、洗浄水供給手段とホース（図示せず）を介して連通してある。噴出開口５９から噴出したノズル洗浄水は、おしりノズル３８およびビデノズル３９とノズルカバー５７およびノズル収納部５６の間に形成されたノズル洗浄水の流路５８を通って、おしりノズル３８およびビデノズル３９を洗浄し、便器１１内に排出される。
【００５４】
また、ノズルカバー５７の先端開口上部には上下に回動自在なノズルシャッタ６１が設けてあり、おしりノズル３８およびビデノズル３９をノズル収納部５６に収納した状態でノズルカバー５７の先端開口を閉塞することができる。ノズルシャッタ６１はおしりノズル３８およびビデノズル３９が洗浄位置に進出するときは、おしりノズル３８およびビデノズル３９の先端で押進することにより上方に開成し、おしりノズル３８およびビデノズル３９を収納位置に収納したときはノズルシャッタ６１の自重で下方に回動し閉塞する構成である。
【００５５】
また、ノズル収納部５６の下部にはおしりノズル駆動手段６２が設置してあり、おしりノズル駆動手段６２は駆動モータ６３と駆動モータ６３の回転をラック６４に伝えるピニオンギア６５を備えている、駆動モータ６３の後部には駆動モータ６３の回転数を検知する回転検知センサ６６が設置してある。また、図には示していないが、ビデノズル３９を摺動するため、同様のビデノズル駆動手段が設けられている。
【００５６】
以上のように構成された衛生洗浄装置について、その作用、動作の１例について説明する。
【００５７】
人体検知手段１８により使用者の入室が検知されず、さらに着座センサ２０で使用者の着座が検知されていない状態のとき、すなわち使用者の入室使用待ち状態の時、切替弁４０の入口流路４１と第３出口流路４５連通されるようにモータ４６を動かし、噴出手段１７に流路を切換えて、使用者の入室と同時に噴出手段１７により便器内部に水を噴出し、使用者が排泄を行う前に付着抑制手段が動作・機能できるようにしてある。
【００５８】
人体検知手段１８により使用者がトイレに入室したことを検知すると、元電磁弁３４を開弁し、噴出手段１７による便器１１内面への水の噴出を開始すると同時に、便蓋１３を自動で開く。この時、金属イオン溶出手段４４の銀電極４７には電圧を印加せず、付着抑制モードとして噴出手段１７より水を所定の時間Ｔ１噴出し停止する。
【００５９】
衛生洗浄装置１０は、使用者が便座１４に着座し、着座センサ２０で着座を検知した状態でリモコン１９の各操作スイッチを操作することで局部洗浄、乾燥機能等が実行される。
【００６０】
たとえば使用者がリモコン１９のおしり洗浄スイッチを選択した場合、制御手段が制御を開始し、駆動モータ６３の回転がピニオンギア６５に伝えられることによりピニオンギア６５と噛み合ったラック６４を有するおしりノズル３８を前方に移動させ、おしりノズル３８をおしり洗浄位置まで移動させた後停止する。その際、切替弁４０はモータ４６を駆動させ、入口流路４１と第１出口流路４２を接続し、加熱ユニット３６で適温に加熱された温水がおしりノズル３８に供給され、人体局部に噴出される。停止スイッチ２７によりおしり洗浄の停止を操作すると、駆動モータ６３は逆回転し、おしりノズル３８は後方へ移動し、元の収納状態に戻る。
【００６１】
つぎに所定の時刻となったとき、金属イオン溶出手段５２の銀電極５３およびステンレス電極５４間に電圧を所定の時間Ｔ２印加し、殺菌性金属イオンを溶出させる。その後、便座１４に設けた着座センサ２０により着座の有無を確認し、使用者が便座１４に着座していないことを確認したうえで、切替弁４０はモータ４６を駆動させ入口流路４１と第３出口流路５１を接続し、殺菌性金属イオンを含むノズル洗浄水が流路５７に供給され、おしりノズル３８およびビデノズル３９とノズルカバー５７およびノズル収納部５６の間に形成されたノズル洗浄水の流路５８を通っておしりノズル３８およびビデノズル３９を洗浄し、殺菌性金属イオンを含む水が便器１１内に排出される。
【００６２】
洗浄ノズル１６は人体局部を洗浄した際の有機物や細菌を含んだ跳ね返り水などが付着しやすいため、有機物や細菌を含んだ跳ね返り水などが付着した状態で収納された場合に細菌類や汚れの付着が起こりやすくなる。本実施の形態では、汚れやすい洗浄ノズルを殺菌性金属イオンを含んだ水で洗浄することができ、ノズルの衛生を高めることができるとともに、殺菌性金属イオンを含んだ水が、ノズル洗浄水として便器内に供給されることで、便器トラップに長時間、殺菌性金属イオンを含んだ水を貯水することができ、便器内の微生物を殺菌することも可能となる。
【００６３】
なお、洗浄ノズル１６の洗浄時に駆動モータ６１の正転逆転を繰り返し、洗浄ノズル１６を前後に進退駆動させながら洗浄ノズル１６全体を洗浄することで、洗浄ノズル全体を洗浄することが出来る。
【００６４】
なお本実施の形態では、殺菌性金属イオンを含む水で、洗浄ノズル１６の洗浄を行う方法を示したが、加熱ユニット３６を用い、加熱した温水で人体洗浄ノズルを洗浄することで洗浄効果をさらに高めることが出来る。
【００６５】
また、金属イオン溶出手段５２を加熱ユニット３６の下流側の入口流路４１に設けることで、金属イオン溶出手段５２への電圧印加を制御することで、殺菌性金属イオンを含む水を、おしりノズル３８、ビデノズル３９、噴出手段１７、ノズル洗浄水など任意のノズルから供給することが可能となり。おしり洗浄やビデ洗浄に用いた場合、局部の殺菌洗浄を行い局部の化膿防止や雑菌による感染症の予防にも利用することができる。
【産業上の利用可能性】
【００６６】
以上のように、本発明にかかる衛生洗浄装置は、金属イオン溶出手段と付着抑制手段とを備え、付着抑制手段により有機物の残存を抑制することで、殺菌性金属イオンを微生物に対して効果的に作用させるもので、洋式便器や洗面台やみずまわりの洗浄機能としても適用できる。
【図面の簡単な説明】
【００６７】
【図１】本発明の実施の形態１における衛生洗浄装置の外観図
【図２】本発明の実施の形態１におけるリモコンの斜視図
【図３】本発明の実施の形態１における衛生洗浄装置の水回路構成図
【図４】（ａ）本発明の実施の形態１におけるテストピースを水道水へ浸漬して付着した菌数を示す図（ｂ）同テストピースを有機物を添加した水道水へ浸漬して付着した菌数を示す図
【図５】本発明の実施の形態２における水回路構成図
【図６】本発明の実施の形態２における洗浄ノズルおよび洗浄手段の断面図
【図７】従来の便器洗浄装置構成図
【符号の説明】
【００６８】
１０  衛生洗浄装置
１１  便器
１４  便座
１６  洗浄ノズル
１７  噴出手段
２０  着座センサ
４４  金属イオン溶出手段
４７  銀電極
【図１】
0005617151.tif 000002
【図４】
0005617151.tif 000003
【図７】
0005617151.tif 000004
【図２】
0005617151.tif 000005
【図３】
0005617151.tif 000006
【図５】
0005617151.tif 000007
【図６】
0005617151.tif 000008